(57)【特許請求の範囲】
【請求項１】
建物開口部に取付けられる枠体と、枠体に対して丁番により開閉自在に支持される樹脂 製の障子と、吊元側の縦枠と縦框との間に配置され火災時に障子の反りを防止する反り防止手段とを備え、
障子を構成する各框は中空部を有すると共に、中空部内に補強材を配置してなり、
縦框の内周側には、ガラス保持溝が設けられてガラス保持溝には補強材が配置され、
吊元側の縦框の外周側には、丁番と反り防止金具とが固定されており、
吊元側の縦框は、中空部内の補強材よりも外周側に補強材を配置してなり、吊元側の縦框の中空部内に収納された補強材は、ガラス保持溝に配置される補強材と連結する内周辺部と、外周側に配置された補強材を介して丁番に連結されるとともに反り防止手段に連結される外周辺部と、内周辺部と外周辺部とを連結する連結辺部とを有する
ことを特徴とするサッシ。
【発明の詳細な説明】
【技術分野】
【０００１】
本発明は、樹脂製の框材を四周組してなる樹脂製の障子を備えるサッシに関する。
【背景技術】
【０００２】
近年、枠体及び框体を樹脂により形成してなる樹脂サッシが周知となっており、樹脂サッシにおいても、防火性能を高めることは必須の事項となっている。そして、樹脂サッシにおいて、樹脂製の枠体及び框体に補強材を配置して、火災時に樹脂製の枠体や框体が溶融しても、枠体と框体との間から火炎が浸入することを防止する樹脂サッシが知られている。（特許文献１）。
【先行技術文献】
【特許文献】
【０００３】
【特許文献１】特許第５２９００３４号
【発明の概要】
【発明が解決しようとする課題】
【０００４】
上記先行技術文献の樹脂サッシは、枠体と障子との間に、それぞれ金具が設けられており、両金具が枠体と障子との間において全周に亘って互いに対向しているので、たとえ枠体及び障子が火炎に晒されたとしても、枠体と障子との間が容易に貫通することを抑えようとしたものである。
しかしながら、火災時の熱によって障子のガラスが変形して障子に反りが発生したり、特に、吊元側においては、ガラスの変形によって框体が丁番を軸に回転したりすることで、金具同士の対向状態が保てなくなり、枠体と障子との間に隙間が生じて火炎や煙が侵入する可能性があった。
【０００５】
本発明は、上記の事情を鑑みたものであり、火災時の熱によって生じるガラスの変形によって生じる框の反りや丁番を軸とした回転を効率的に防止することで、火災時における火炎の浸入を遅延させることのできる樹脂サッシを提供することを目的とする。
【課題を解決するための手段】
【０００６】
本発明は、建物開口部に取付けられる枠体と、枠体に対して丁番により開閉自在に支持される樹脂製の障子と、吊元側の縦枠と縦框との間に配置され火災時に障子の反りを防止する反り防止手段とを備え、障子を構成する各框は中空部を有すると共に、中空部内に補強材を配置してなり、縦框の内周側には、ガラス保持溝が設けられてガラス保持溝には補強材が配置され、吊元側の縦框の外周側には、丁番と反り防止金具とが固定されており、吊元側の縦框は、中空部内の補強材よりも外周側に補強材を配置してなり、吊元側の縦框の中空部内に収納された補強材は、ガラス保持溝に配置される補強材と連結する内周辺部と、外周側に配置された補強材を介して丁番に連結されるとともに反り防止手段に連結される外周辺部と、内周辺部と外周辺部とを連結する連結辺部とを有することを特徴とする。
【発明の効果】
【０００７】
火災時の熱によって生じるガラスの変形によって生じる框の反りや丁番を軸とした回転を抑制することができ、枠体と障子との間に隙間が生じることを防止できる。
【図面の簡単な説明】
【０００８】
【図１】本発明の実施形態に係るサッシの内観図である。
【図２】本発明の実施形態に係るサッシの縦断面図である。
【図３】本発明の実施形態に係るサッシの横断面図である。
【図４】本発明の実施形態に係るサッシの吊元側縦部材の拡大横断面図である。
【発明を実施するための形態】
【０００９】
本発明の実施形態に係るサッシについて、図面を参考にして説明する。
（全体の構成）
図１に示すように、本発明の実施形態に係るサッシは、上下左右の各枠を四周組にしてなり、建物の開口部に配置される枠体１と、上框２１，下框２２，吊元側の左縦框２３及び戸先側の右縦框２４を四周組にしてなる框枠にガラスを嵌め込んでなる障子２とからなり、枠体１に対して障子２を丁番６により開閉自在に支持して構成されている。
障子２を構成する各框２１，２２，２３，２４は、樹脂による中空押出成形により形成された各框材の中空部内に例えばスチール等の金属製の補強材４（図１において、点線で示す。）が配置されて形成されており、障子２の四隅においては、各補強材４同士が連結金具５１により連結され、特に、吊元側の上下隅部においては、戸先下がり防止金具５２により補強材４同士が連結されている。
【００１０】
（枠体の構成）
本発明の実施形態に係るサッシの枠体について説明する。
枠体１を構成する上枠１１、下枠１２、左、右縦枠１３，１４は、図２、３に示すように、各枠の本体を形成する樹脂製の上枠材１１１、下枠材１２１、左、右縦枠材１３１，１４１と、樹脂製の上枠材１１１、下枠材１２１、左右縦枠材１３１，１４１の中空部内に配置された断面略Ｕ字状をなす金属製の補強材３１，３２，３３，３４とから構成されている。
上枠材１１１、下枠材１２１、左、右縦枠材１３１，１４１は、中空の矩形形状をなす枠本体部１１１ａ，１２１ａ，１３１ａ，１４１ａと、枠本体部１１１ａ，１２１ａ，１３１ａ，１４１ａの室内側に連続する中空の室内側壁１１１ｂ，１２１ｂ，１３１ｂ，１４１ｂとから構成されており、補強材３１，３２，３３，３４は、枠本体部１１１ａ，１２１ａ，１３１ａ，１４１ａの中空部内に配置されている。
【００１１】
上枠材１１１、下枠材１２１、左、右縦枠材１３１，１４１の外周面の見込み方向中間付近には、外周方向に向けて取付片部１１１ｃ，１２１ｃ，１３１ｃ，１４１ｃが延設されており、また、上枠材１１１、下枠材１２１、左、右縦枠材１３１，１４１の外周端室内側には、室内方向に向けて室内側取付片部１１１ｄ，１２１ｄ，１３１ｄ，１４１ｄが延設されており、金属製のアングル材（図４の符号３３５）等を挟んでネジ等の固定手段により建物開口部に固定されることで、枠体１が建物開口部に取り付けられている。
【００１２】
（障子の構成）
本発明の実施形態に係るサッシの障子について説明する。
障子２を構成する上框２１、下框２２、左、右縦框２３，２４は、図２、３に示すように、各框の本体を形成する樹脂製の上框材２１１、下框材２２１、左、右縦枠材２３１，２４１と、上框材２１１、下框材２２１、左、右縦框材２３１，２４１の中空部内に配置された断面略Ｕ字状をなす金属製の補強材４１，４２，４３，４４と、上框材２１１、下框材２２１、左、右縦框材２３１，２４１の室外側内周部に取り付けられてガラス間口を構成する中空状の押縁部材２１２，２２２，２３２，２４２とから構成されている。
【００１３】
上框材２１１、下框材２２１、左、右縦框材２３１，２４１は、中空の矩形形状をなす框本体部２１１ａ，２２１ａ，２３１ａ，２４１ａと、框本体部２１１ａ，２２１ａ，２３１ａ，２４１ａの室外側に連続し、外周側に突出する中空状の室外側壁２１１ｂ，２２１ｂ，２３１ｂ，２４１ｂと、框本体部２１１ａ，２２１ａ，２３１ａ，２４１ａの室内側内周面に連続してガラス間口の室内側を構成する中空状のガラス間口壁２１１ｃ，２２１ｃ，２３１ｃ，２４１ｃとから構成されており、補強材４１，４２，４３，４４は、框本体部２１１ａ，２２１ａ，２３１ａ，２４１ａ内に配置されている。
押縁部材２１２，２２２，２３２，２４２は、室外側壁２１１ｂ，２２１ｂ，２３１ｂ，２４１ｂの内周端面に取り付けられて、ガラス間口壁２１１ｃ，２２１ｃ，２３１ｃ，２４１ｃとともにガラス間口を形成している。
そして、丁番６によって枠体１に支持された障子２の戸先側の右縦框２４と右縦枠１４との間には、ロック機構８１が設けられるとともに、上框２１と上枠１１との間及び下框２２と下枠１２との間には、アームストッパー８２が設けられている。
【００１４】
（補強材による補強構造）
次に、図４に示す吊元側の左縦枠１３及び左縦框２３を用いて、本発明の実施形態のサッシの障子の補強材による補強構造について、さらに詳細に説明する。なお、図２，３からわかるように、各枠及び各框についても、その断面形状や補強構成等の基本的な構成は同じである。
【００１５】
左縦枠１３の左縦枠材１３１は、枠本体部１３１ａと、枠本体部１３１ａの室内側に連続する室内側壁１３１ｂとから構成されており、室内側壁１３１ｂは枠本体部１３１ａよりも内周方向に突出して、突出した部分は障子２の左縦框２３の室内側面と重複している。なお、室内側壁１３１ｂの突出した部分には、障子２の左縦框２３の室内側面に当接するシール材ｓ１が配置されてサッシの室内側気密ラインを形成している。
室内側壁１３１ｂの中空内部の左右方向中間位置付近（枠本体部１３１ａの内周面付近）には、中間壁が形成されており、室内側壁１３１ｂが外周側中空部と内周側中空部とに分割され、室内側壁１３１ｂの強度を向上させている。
室内側壁１３１ｂの外周側中空部と内周側中空部には、それぞれ金属製の長尺状の補強材３３２及び補強材３３３が左縦枠材１３１の長さ方向全長に亘って挿入されており、室内側壁１３１ｂの外周より挿入される長ビス３３４により両補強材３３２，３３３が連結されている。
【００１６】
また、左縦枠材１３１の枠本体部１３１ａの中空部内に配置される長尺状の補強材３３は、外周辺部３３ａと、内周辺部３３ｂと、外周辺部３３ａと内周辺部３３ｂとを連結する室外辺部３３ｃとから構成され、その断面は略Ｕ字状に形成されており、その開口部を室内側に向けて枠本体部１３１ａの中空部内に配置されている。
補強材３３の外周辺部３３ａは、ネジ等の固定手段により枠本体部１３１ａの外周面に対してＬ字状のアングル材３３５とともに固定され、内周辺部３３ｂは、室内側壁１３１ｂ内に挿入された補強材３３３に対してＬ字状のアングル材３３６を介してビス等の連結手段により連結されており、左縦枠１３の枠本体部１３１ａの内部と室内側壁１３１ｂの内部に配置された各補強材３３，３３２，３３３が一体的に連結され、火災時に樹脂部分が溶融した際にも各補強材３３，３３２，３３３が分解することなく、縦枠としての機能を維持するように構成されている。
【００１７】
そして、補強材３３の室外辺部３３ｃには、室外側よりネジ等の固定手段により丁番６の枠側ウイング６１が枠本体部１３１ａを挟んで固定されるとともに、補強材３３の内周辺部３３ｂには、障子２の反りを防止する反り防止手段７の反り防止金具受け７２が枠本体部１３１ａを挟んでネジ等の固定手段により、固定されている。
【００１８】
一方、左縦框２３の左縦框材２３１は、中空の矩形形状をなす框本体部２３１ａと、框本体部２３１ａの室外側に連続し、外周側に突出する中空状の室外側壁２３１ｂと、框本体部２３１ａの室内側内周面に連続してガラス間口の室内側を構成する中空状のガラス間口壁２３１ｃとから構成されており、框本体部２３１ａの外周面には、外周に向けて開口する溝状のレール部２３１ｄが形成されている。
【００１９】
室外側壁２３１ｂは、その框本体部２３１ａよりも外周側に突出する部分が独立した中空部として形成されており、突出した部分は左縦枠１３の室外側面と重複するとともに、その外周面は丁番６の障子側ウイング６２を固定するための丁番固定部として構成されている。なお、室外側壁２３１ｂの突出した部分には、左縦枠１３の室外側面に当接するシール材ｓ２が配置されてサッシの室外側気密ラインを形成している。
また、框本体部２３１ａにおけるレール部２３１ｄの室内側の部分は、独立した中空部として形成されており、その外周面が反り防止手段７の反り防止金具７１を固定するための反り防止金具固定部として構成されている。
そして、室外側壁２３１ｂの前記中空部（丁番固定部）内には、金属製で長尺状の補強材４３２が配置され、丁番６の障子側ウイング６２がネジ等の固定手段により丁番固定部に固定されており、框本体部２３１ａにおけるレール部２３１ｄの室内側の中空部（反り防止金具固定部）内には、金属製で長尺状の補強材４３３が配置されており、反り防止金具７１がネジ等の固定手段により反り防止金具固定部に固定されている。
さらに、框本体部２３１ａのレール部２３１ｄの底部から室外側壁２３１ｂの中空部（丁番固定部）の室内側面にかけて、左縦框２３の外周面を覆うようにクランク状に屈曲形成された補強材４３４が配置されており、補強材４３４と室外側壁２３１ｂの中空部（丁番固定部）内に配置された補強材４３２が、ネジ等の固定手段により連結されている。
【００２０】
框本体部２３１ａの中空部内には、外周辺部４３ａと、内周辺部４３ｂと、室外辺部４３ｃとから構成される断面略Ｕ字状の補強材４３が、その開口を室内側に向けて框本体部２３１ａの全長に亘って配置されており、断面略Ｕ字状の補強材４３の開口部内部には、火災時等の熱により膨張する加熱膨張材ｆが配置されている。
補強材４３の外周辺部４３ａには、補強材４３４及び補強材４３３がビス等の連結手段により連結されており、反り防止手段７と丁番６とを補強材４３の一辺（外周辺部４３ａ）により間接的に連結している。
さらに、補強材４３の内周辺部４３ｂには、ガラス間口内に配置された補強材４３５がビス等の連結手段により連結されている。
【００２１】
（火災時の状態）
一般に、図１に示すサッシが配置された建築物の室外側において火災が発生した場合には、ガラス及び框材は室外側が延びるように変形し、ガラスや框材の変形は、長尺部材である縦框に対してその中心部分が室外側に突出するように反らせると共に、障子２を丁番６を中心に回動（図４における反時計回り）させて、左縦枠１３の室内側壁１３１ｂの突出した部分と左縦框２３との重複や、左縦框２３の室外側壁２３１ｂの突出した部分と左縦枠１３との重複が損なわれて、障子２と枠体１との間に隙間が生じる可能性があった。
このことは、例え、吊元側の縦框２３と縦枠１３との間に反り防止手段を配置して、障子２の縦框２３，２４の反りを抑制したとしても、火災時の熱により框材が溶融して反り防止手段７と丁番６との間隔が広がることによって、障子２の丁番６を中心とした回動を押さえることはできず、結局、左縦框２３の室外側壁２３１ｂと左縦枠１３の室内側壁１３１ｂとの対向関係が損なわれ、障子と枠体との間に隙間が生じる可能性があった。
【００２２】
そこで、本発明においては、障子２を支持する丁番６と反り防止手段７とを、ともに框本体部２３１ａの中空部内に配置される補強材４３の外周辺部４３ａに連結することによって、反り防止手段７と丁番６との間隔が広がることを押さえて、障子２の丁番６を中心とした回動を抑制し、縦框２３，２４の室外側壁２３１ｂ、２４１ｂと縦枠１３，１４の室内側壁１３１ｂ、１４１ｂとの対向関係を維持するように構成されている。
【００２３】
さらに、框本体部２３１ａの中空部内に配置される補強材４３は、その内周辺部４３ｂがガラス間口内の補強材４３５に連結されることで、丁番６及び反り防止手段７に連結された補強材４３２，４３３を含む各框に配置された全ての補強材が一体的に連結するので、火災時に樹脂部分が溶融した場合においても、障子２の機能を比較的長く維持することができる。
【００２４】
以上のように、本発明の実施形態に係るサッシの障子は、框本体部の中空部内に配置された補強材が内周辺部及び外周辺部を室外辺部によって連絡してなる断面Ｕ字状をなしており、外周辺部に対して丁番と反り防止手段とが隣接して連結されているので、室外側で火災が発生した際に熱によりガラスが変形した場合にも、縦框の反りを防止しながら反り防止手段と丁番との乖離を抑制することができ、縦框が丁番を中心として回動することにより枠体と障子との間に隙間が生じることを防止することができる。
なお、本実施形態においては、補強材は室内側に開口するように配置されている、すなわち、外周片部と内周側片とが室外辺部により連結されているが、補強材は特に室内側に開口する必要は無く、室外辺部は外周片部と内周側片とを連結する連結辺部であれば、その形状は何ら特定されるものではなく、例えば室外側に開口するように連結してもよい。さらに言えば、補強材の形状も断面略Ｕ字状に限定されるものでもない。
【符号の説明】
【００２５】
１        ：枠体
１１      ：上枠
１１１    ：上枠材
１１１ａ  ：枠本体部
１１１ｂ  ：室内側壁
１１１ｃ  ：取付片部
１１１ｄ  ：室内側取付片部
１２      ：下枠
１２１    ：下枠材
１２１ａ  ：枠本体部
１２１ｂ  ：室内側壁
１２１ｃ  ：取付片部
１２１ｄ  ：室内側取付片部
１３      ：左縦枠
１３１    ：左縦枠材
１３１ａ  ：枠本体部
１３１ｂ  ：室内側壁
１３１ｃ  ：取付片部
１３１ｄ  ：室内側取付片部
１４      ：右縦枠
１４１    ：右縦枠材
１４１ａ  ：枠本体部
１４１ｂ  ：室内側壁
１４１ｃ  ：取付片部
１４１ｄ  ：室内側取付片部
２        ：障子
２１      ：上框
２１１    ：上框材
２１１ａ  ：框本体部
２１１ｂ  ：室外側壁
２１１ｃ  ：ガラス間口壁
２１２    ：押縁部材
２２      ：下框
２２１    ：下框材
２２１ａ  ：框本体部
２２１ｂ  ：室外側壁
２２１ｃ  ：ガラス間口壁
２２２    ：押縁部材
２３      ：左縦框
２３１    ：左縦框材
２３１ａ  ：框本体部
２３１ｂ  ：室外側壁
２３１ｃ  ：ガラス間口壁
２３１ｄ  ：レール部
２３２    ：押縁部材
２４      ：右縦框
２４１    ：右縦框材
２４１ａ  ：框本体部
２４１ｂ  ：室外側壁
２４１ｃ  ：ガラス間口壁
２４２    ：押縁部材
３１      ：補強材
３２      ：補強材
３３      ：補強材
３３ａ    ：外周辺部
３３ｂ    ：内周辺部
３３ｃ    ：室外辺部
３３２    ：補強材
３３３    ：補強材
３３４    ：長ビス
３３５    ：アングル材
３３６    ：アングル材
３４      ：補強材
４        ：補強材
４１      ：補強材
４２      ：補強材
４３      ：補強材
４３ａ    ：外周辺部
４３ｂ    ：内周辺部
４３ｃ    ：室外辺部（連結辺部）
４３２    ：補強材
４３３    ：補強材
４３４    ：補強材
４３５    ：補強材
４４      ：補強材
５１      ：連結金具
５２      ：戸先下がり防止金具
６        ：丁番
６１      ：枠側ウイング
６２      ：障子側ウイング
７        ：反り防止手段
７１      ：反り防止金具
７２      ：反り防止金具受け
【図１】
0006614814.tif 000002
【図２】
0006614814.tif 000003
【図３】
0006614814.tif 000004
【図４】
0006614814.tif 000005